(57)【特許請求の範囲】
【請求項１】
軟質材からなるガスケットの銛状取付脚を、扉側に形成した係止部付取付溝に圧挿して、ガスケットを扉側に取付け、且つ上記取付溝の巾Ｗ3を上記銛状取付脚の巾Ｗ4寸法と同等若しくは、それ以上とすると共に、上記係止部付取付溝の係止部の巾Ｗ2寸法を上記Ｗ4寸法より小さく形成し、更に上記係止部付取付溝を扉内板と一体に形成するようにした冷蔵庫の扉におけるガスケットの保持構造であって、上記扉内板の外周縁に設けられる係止部付取付溝の内、コーナー部と直線部の一部に、上記係止部を設けないようにし、係止部がない取付溝の巾Ｗ1を前記巾Ｗ3とほぼ等しくし、かつ、深さを係止部がある所の取付溝の深さより深くし、ガスケットの銛状取付脚のＨ2寸法部より、前記取付溝の前記係止部までの高さＨ1寸法を大きくし、係止部付取付溝に連なる平面部の内、扉内板内側寄りの平面部を内側に傾斜させ、永久磁石を内蔵する閉塞部材を内側に傾斜させるようにしたことを特徴とするガスケットの保持構造。
【請求項２】
直交する係止部付取付溝の一方の取付溝を外側係止部のみコーナー先端部まで形成するようにしたことを特徴とする請求項１記載のガスケット保持構造。
【請求項３】
前記ガスケットのコーナー溶着部に当るガスケットの第２蛇腹部材を端面より５〜３０ｍｍ位の範囲で断面し、外周蛇腹部材のみを溶着するようにしたことを特徴とする請求項１に記載のガスケットの保持構造。
【請求項４】
内部中空の銛状取付脚内に、取付溝より、上記銛状取付部が引き抜かれるような力が働いた時、該銛状取付脚の変形を抑えるＴの字或いは、十字状補強部材を設けたことを特徴とする請求項３記載のガスケットの保持構造。
【請求項５】
第２の蛇腹部材に設けた切断部を通して、空気抜孔がない部屋の空気をガスケット外に導くようにしたことを特徴とする請求項３記載のガスケットの保持構造。
【請求項６】
請求項１乃至５のいずれかに記載のガスケットの保持構造を有する冷蔵庫。
【発明の詳細な説明】
【０００１】
【産業上の利用分野】
本発明は、ガスケットの銛状取付脚を扉側に形成した係止部付取付溝に該銛状取付脚を圧挿し、ガスケットを扉側に取付けるようにした発明に関するものである。
【０００２】
【従来の技術】
従来、この種従来例には第１６図に示す如きものがある。これを図を用いて説明すると、３１は冷蔵庫本体。この冷蔵庫本体３１は、内部に庫内３２を形成している。３３は上記庫内３２の前面開口部を閉塞する扉。この扉３３は、扉外板３４と扉内板３５、それに上記扉外板３４、扉内板３５間に充填された発泡断熱材３６等より構成されている。３７は上記扉内板３５の外周縁に形成された係止部付取付溝、３８はガスケットである。このガスケット３８は閉塞部３９と蛇腹部４０、基台部４１、それに銛状取付脚４２等より構成されている。
【０００３】
そして、上記銛状取付脚４２は先の扉内板３５に形成された係止部付取付溝３７に圧挿されている。この銛状取付脚４２と係止部付取付溝３７の結合状態は非常に重要なことである。
【０００４】
即ち、上記ガスケット３８は、閉塞部３９内に永久磁石４３を備えている。
この永久磁石４３は、冷蔵庫本体３１側に着磁するものであるから、扉３３の開時には、上記ガスケット３８に銛状取付脚４２を係止部付取付溝３７より引き抜こうとする力が働く。この為上記例に於いては、ガスケット３８に工夫をこらし、銛状取付脚４２を軟質材と硬質材の同時押出品を使い、銛状取付脚４２が係止部付取付溝３７より抜け出るのを防止しようとしているものである。
尚、この種従来例には、特開昭６１−１９８１号公報等がある。
【０００５】
【発明が解決しようとする課題】
以上説明した従来例に於いては、次のような問題点があった。
（１）ガスケットの銛状取付部を軟質材と硬質材の同時押出品で作らなければならない為に、押出作業性が悪いことは勿論歩止り、リサイクル性に問題がある。
【０００６】
（２）冷蔵庫の扉内板外周縁全体に上記銛状取付部をもつガスケットを取付けようとすると、係止部付取付溝との寸法関係もあるが、銛状取付脚の係止部付取付溝への圧挿作業が難しい。
【０００７】
（３）上記作業に於いて、特に扉内板コーナー部（縦と横の係止部付取付溝が交わる所）への圧挿作業は該扉内板側の弾性が期待出来ない為に、非常に困難な作業となる。
【０００８】
（４）扉内板は一般に真空成形で作られることにより、先の係止部付取付溝も同時成形される。従って、精度の高い寸法管理をすることは出来ない。
【０００９】
このことによって、銛状取付脚の取付溝への圧挿作業が難しくなったり、或いは、銛状取付脚が永久磁石の着磁力に負けて抜け出してしまう等の問題が出る。
【００１０】
【課題を解決するための手段】
本発明は、上記課題を解決する為になされたものである。
即ち、軟質材からなるガスケットの銛状取付脚を、扉側に形成した係止部付取付溝に圧挿して、ガスケットを扉側に取付け、且つ上記取付溝の巾Ｗ3を上記銛状取付脚の巾Ｗ4寸法と同等若しくは、それ以上とすると共に、上記係止部付取付溝の係止部の巾Ｗ2寸法を上記Ｗ4寸法より小さく形成し、更に上記係止部付取付溝を扉内板と一体に形成するようにした冷蔵庫の扉におけるガスケットの保持構造であって、上記扉内板の外周縁に設けられる係止部付取付溝の内、コーナー部と直線部の一部に、上記係止部を設けないようにし、係止部がない取付溝の巾Ｗ1を前記巾Ｗ3とほぼ等しくし、かつ、深さを係止部がある所の取付溝の深さより深くし、ガスケットの銛状取付脚のＨ2寸法部より、前記取付溝の前記係止部までの高さＨ1寸法を大きくし、係止部付取付溝に連なる平面部の内、扉内板内側寄りの平面部を内側に傾斜させ、永久磁石を内蔵する閉塞部材を内側に傾斜させるようにしたものである。
【００１１】
これを更に具体的なものとする為に、本発明に於いては、直交する係止部付取付溝の一方の取付溝を外側係止部のみコーナー先端部まで形成するようにしたものである。
【００１３】
又更に、ガスケットのコーナー溶着部に当るガスケットの第２蛇腹部材を端面より５〜３０ｍｍ位の範囲で断面し、外周蛇腹部材のみを溶着するようにしたものである。
又更には、内部中空の銛状取付脚内に取付溝より、上記銛状取付部が引き抜かれるような力が働いた時、該銛状取付脚の変形を抑えるＴの字或いは、十字状補強部材を設けるようにしたものである。
又更に、第２の蛇腹部材に設けた切断部を通して、空気抜孔がない内部の空気をガスケット外に導くようにしたものである。
又更にこれらのガスケットの保持構造を有する冷蔵庫としたものである。
【００１４】
【作用】
銛状取付脚が一旦係止部付取付溝内に入ると、該銛状取付脚は取付溝に制約されることなく、挿入前の形に戻る。このことにより、該銛状取付脚と係止部付取付溝との係止関係は、設定通りのものとなる。
【００１５】
又、上記ガスケットの銛状取付脚の係止部付取付溝への取付は、係止部を除去した所の取付溝への優先取付けにより全体の圧挿作業が容易に行なえるものである。
【００１６】
【実施例】
以下、本発明の詳細を図１〜図７に示す一実施例に於いて説明する。
図１は、本発明を備えた冷蔵庫扉のガスケット取付部説明図。図２は、図１のＡ−Ａ断面図。図３は、図１のＢ−Ｂ断面図。図４は、図１のＣ−Ｃ断面図。図５は、図３にガスケットを取付け冷蔵庫本体に組み込んだ状態を示す図。図６は、図３のガスケットを引き抜こうとしている状態を示す図。図７は、図３の係止部付取付溝とガスケットの銛状取付け脚の寸法関係を示す図。図に於いて、１は冷蔵庫本体。２は、上記冷蔵庫本体１が内部に形成する庫内を示す。３は、上記庫内２の前面開口部を閉塞する扉である。この扉３は、扉外板４と扉内板５と発泡断熱材６、それに上下に取付けられたエンドピース７，８及び、ガスケット９等より構成されている。１０は、上記扉内板５の外周縁に形成されたガスケット取付けの為の係止部付取付溝。通常上記扉内板５は一枚のシートを加熱し、軟化した所を型（扉内板として必要な形状をもつ型）側から真空引きし、型と同じ形状をもつ形にシートと扉内板に成形する真空成形等により構成される。従って、上記ガスケット９取付けの為の係止部取付溝１０も、この真空成形の過程で形成されるものである。上記係止部付取付溝１０には種々の特徴がある。
【００１７】
即ち、図１にも示す如く、本係止部付取付溝１０は、縦横の溝が交差するコーナー部は溝巾Ｗ1が他に比較（Ｗ2）して巾広になっている他、直線部の所々にも上記巾広のＷ1（Ｗ1’を含む）部が設けられているものである。
又、このＷ1部とＷ2部を溝の深さで比較するとＷ1部はＷ2部に比較し、図２，３に示すようＨ1がＨ3より１〜３ｍｍ位い深く形成されているものである。
このことにより、係止部のない所のガスケット９が取付けられた時、飛び出るのを防止するものである。
【００１８】
次に、図２，図３をもって上記係止部付取付溝１０の特に係止部１０ａについて説明する。この係止部１０ａは、取付溝１０ｂの入口を両側から狭めるような形で設けられているものである。即ち、取付溝１０ｂの巾Ｗ3を１０．５ｍｍとすれば片側１．５ｍｍ位溝側に係止部を突出させ、Ｗ2寸法を７．５ｍｍ位としているものである。従って、図１，図２に示すＷ1部は、Ｗ3とほぼ等しく形成され、Ｗ１’（図４に図示）は片側のみ１．５ｍｍ突出していることにより、９ｍｍ巾とされているものである。
又、このＷ1，Ｗ1’を特別に設ける理由は、図２，図３に示す如く、ガスケット９を取付ける際の作業性改善である。
【００１９】
即ち、上記ガスケット９は軟質材を押出し成形したもので長尺ものである。
これを先の係止部付取付溝１０にコーナーを基準に組み込んでいこうとすると該ガスケットは軟質材の為に延びてしまい、反対側のコーナー部の圧挿作業に入る時点では、ガスケットが取付溝１０の長さに対して大巾に長く余ってしまうと云う現象が表われる。
【００２０】
本発明は、これを防止すべく直線部の途中を初めから所々取り付けておき、コーナー部より取付け溝内にガスケット９を組み付けるようにしたものである。
尚、コーナー部Ｘ（図１に図示）に於いて、断面形状が断面Ｃ−Ｃと断面Ａ−Ａで異なるのは、コーナー部は後述するガスケット９に使われる永久磁石の密度が直線部に比較して高くなる為、ガスケットを引き抜こうとする力が大きく働く。そこで、一方の辺図１では、断面Ｃ−Ｃ側に突出部（係止部）を設け、ガスケット９が取付溝１０より抜け出ることがないよう考慮したものである。
【００２１】
次に、図５を用いて係止部付取付溝１０にガスケット９を取付けた時の閉塞部材１１の位置について説明する。
尚、図５に示すガスケット９は、閉塞部材１１、第１の蛇腹部材１２、第２の蛇腹部材１３、それに取付部１４、銛状取付脚１５を有している。そして、このガスケット９は押出し成形等により製作される。又、材質は塩化ビニール樹脂等の軟質材で作られている。１６は、上記閉塞部材１１内に内蔵された永久磁石、この永久磁石１６の働きにより、該ガスケット９は冷蔵庫本体１との間を密封シールするものである。
【００２２】
図５に於いて、上記閉塞部材１１は実線のような形で、冷蔵庫本体１に対し取付けられるのが良い。何故ならば、閉塞部材１１が点線で示すよう冷蔵庫本体１に取付けられるようなことがあると、永久磁石１６が冷蔵庫本体１に着磁、シール状態にあるにも係わらず、使用者に隙間があるように見えてしまうからである。この手段として、本発明に於いては上記係止部付取付溝１０に連なる平面部１７を図の如く傾斜させ、ガスケット全体９を庫内側に傾斜させて取り付けるようにしたものである。
【００２３】
次に、図６の（ａ）（ｂ）を用いて、先の銛状取付部の形状について説明する。この図６は、係止部付取付溝１０に取付けられた銛状取付脚１５が該ガスケット９を引き抜こうとした時、銛状取付脚１５がどのように変形するのかを説明したものである。図６の（ｂ）は、銛状取付脚１５内が空洞となっている為、ガスケット９の引き抜きに対して銛状取付脚１５が図の如く変形し、取付溝１０との係止関係がくずれ、小さな力で引き抜かれてしまう。これに対し、図６（ａ）のものは銛状取付脚１５内にＴ字状（十字状でも良い）の補強部材１５ａがあることより銛状取付脚の変形が小さく、係止部１０ａとの係止関係が解除されないものである。
【００２４】
次に、図７で上記係止部付取付溝１０と銛状取付脚１５との寸法関係を説明する。係止部付取付溝１０の巾方向の寸法は図３でも説明したように、係止部１０ａのある部分がＷ2であり、取付溝１０ｂ部はＷ3である。そして高さ方向では、取付溝１０ｂの底部から係止部までの高さ寸法はＨ1とする。この時、先の銛状取付脚１５の最大巾部１５ｂはＷ4。そして、首部１５ｃはＷ5。又、最大巾部１５ｂから脚１５の先端まで高さをＨ2とした時、前者の関係を次の如く設定しておくものである。
【００２５】
即ち、Ｈ1≧Ｈ2，Ｗ3≧Ｗ4，Ｗ2≧Ｗ5  ３ｍｍ＋Ｗ2≦Ｗ4と設定する。こうすることにより銛状取付脚１５は、係止部付取付溝１０内に一旦入ってしまうともとの形に戻り確実な係止関係を保持するものである。
【００２６】
次に、図８〜図１４を用いて本発明のガスケット９について説明する。図８は本発明のガスケットを示すもので、コーナー溶着部を示す要部平面図。図９は図８のＤ−Ｄ断面図。図１０は図８のＥ−Ｅ断面図。図１１は本発明の係止部付取付溝を作る時の成形治具を説明する図。図１２は上記成形治具の配置状況を示す図。図１３は本発明のガスケットをコーナーで溶着する時、溶着がうまくいくよう一部ガスケットを切断した所を示す図。図１４は図１３を矢印Ｐ方向より見た図である。
【００２７】
先ず図８〜図１０に於いて、９は扉内板周縁に取付られるガスケット。このガスケット９は図に示す如く、コーナー部で溶着されている。この溶着は、通常溶着しようとする両方のガスケット９を熱板で溶かし、溶けている間に圧着し、ともづけするものである。この為、特に密度の高い銛状取付脚１５部に於いては、図１０に示す如く、全体が溶着時に出た樹脂で埋められてしまう。（実際の形状は図９に示す形状）このことによりコーナー、特に溶着部近辺の銛状取付脚１５には、弾力性がなくなってしまう。従って、この部分を扉内板側の係止部付取付溝１０内に圧挿する作業は難しくなる。これを容易にしたのが、図１に示す如き溝形状なのである。
【００２８】
次に、図１１，１２を用いて図３，４に示す係止部付取付溝１０の作り方を説明する。図１１中の１８は真空成形型。１９は上記型１８に組み込まれた成形治具。上記係止部付取付溝１０は図３にも示す如く、アンダーカット成形となるので、上記成形治具１９を軸１９ａを支点に矢印方向に可動させ、製品からの型の抜け可能としたものである。図１２は上記成形治具１９の設け方を示したものである。図に於いて、上記成形治具１９ｂ，１９ｃ，１９ｄ，１９ｅを配置するのは、先の銛状取付脚１５の挿入性を良くする為である。即ち、コーナー部に於いては先にも記載した如く、銛状取付脚１５の弾力性がなくなる為、図３の如き形状するとその圧挿作業が難しくなる。そこでコーナー部に於いては、図４に示す如く片側のみ係止部１０ａを形成するよう成形治具１９を配設したものである。尚、この図１２には示してないが、この成形治具１９を設けない所は直線部にも所々あり、結果として図１に示す溝形状を作るものである。
【００２９】
次に図１３、図１４を用いて、ガスケット９のコーナー溶着部の伸縮性を保持する為の手段として、上記ガスケット９の蛇腹部材１２，１３の内、第２蛇腹部材１３に切断部２０を設けたものである。尚、切断代は端面より５〜３０ｍｍ位が良い。この断面図２０には、ガスケット９が形成する空気室２２の空気を、空気室２１側に導く作用もある。尚、空気室２１の空気穴は、空気抜穴２３を通して外部に排出されるものである。
【００３０】
【発明の効果】
本発明は以上説明した如き構造を有するものであるから、次の効果が得られるものである。
先ず、ガスケットの保持構造に於いて、
（１）ガスケット形状に特別な工夫を施すことなく扉内板が形成する係止部付取付溝で、上記ガスケットの銛状取付脚を保持出来る。
【００３１】
（２）銛状取付脚を取付溝のコーナー及び直線の所々を予め挿入した後、残りの部分を圧挿して行くようにすることにより、取付溝の長さに対しガスケットが余ってしまうことがなくなるので、その組み込み作業は容易なものとなる。
【００３２】
（３）特にガスケットの溶着部近辺の弾力性の失われた部分の取付溝への取付作業が容易となる。
【００３３】
又、ガスケット自体については、
（４）コーナー溶着部の第２蛇腹部の切断によって、弾力性が確保できると共に、空気抜きも出来るものである。
【００３４】
（５）銛状取付脚内にＴ字状等の補強を設けることにより、銛状取付脚の変形を小さくし、係止部との係止関係をくずすことがなくなる。
【図面の簡単な説明】
【図１】本発明を備えた冷蔵庫のガスケット取付部説明図。
【図２】図１のＡ−Ａ断面図。
【図３】図１のＢ−Ｂ断面図。
【図４】図１のＣ−Ｃ断面図。
【図５】図３にガスケットを取付け、冷蔵庫本体に組み込んだ状態を示す図。
【図６】図３のガスケットを引き抜こうとしている状態を示す図。
【図７】図３の係止部付取付溝とガスケットの銛状取付脚の寸法関係を示す図。
【図８】本発明のガスケットを示すもので、コーナー溶着部を示す要部平面図。
【図９】図８のＤ−Ｄ断面図。
【図１０】図８のＥ−Ｅ断面図。
【図１１】本発明の係止部付取付溝を作る時の成形治具を説明する図。
【図１２】上記成形治具の配置状況を示す図。
【図１３】本発明のガスケットをコーナーで溶着する時、溶着がうまくいくよう一部ガスケットを切断した所を示す図。
【図１４】図１３を矢印Ｐ方向より見た図。
【図１５】従来用いられている冷蔵庫用ガスケットの保持構造を示す図である。
【符号の説明】
１・・・冷蔵庫本体                ２・・・庫内
３・・・扉                        ４・・・扉外板
５・・・扉内板                    ６・・・発泡断熱材
７・・・エンドピース              ８・・・エンドピース
９・・・ガスケット              １０・・・係止部付取付溝
１０ａ・・係止部                  １０ｂ・・取付溝
１１・・・閉塞部材                １２・・・第１の蛇腹部材
１３・・・第２の蛇腹部材          １４・・・取付部
１５・・・銛状取付脚              １５ａ・・Ｔ字状の補強部材
１５ｂ・・最大巾部１              １５ｃ・・首部
１６・・・永久磁石                １７・・・平面部
１８・・・真空成形型              １９・・・成形治具
１９ａ・・軸                      ２０・・・切断部
２１・・・空気室                  ２２・・・空気室
２３・・・空気抜穴
【図１】
0003648769.tif 000002
【図２】
0003648769.tif 000003
【図３】
0003648769.tif 000004
【図４】
0003648769.tif 000005
【図５】
0003648769.tif 000006
【図６】
0003648769.tif 000007
【図７】
0003648769.tif 000008
【図８】
0003648769.tif 000009
【図９】
0003648769.tif 000010
【図１０】
0003648769.tif 000011
【図１１】
0003648769.tif 000012
【図１２】
0003648769.tif 000013
【図１３】
0003648769.tif 000014
【図１４】
0003648769.tif 000015
【図１５】
0003648769.tif 000016